(57)【要約】  多ビームは、あるスポットビームからのチャンネルの複写を、リモート監視ステーションを含む別のスポットビームにおいて送信するように構成される。衛星は、複写されるチャンネルを選択し、リモート監視ステーションを各ビームに必要とせずに、衛星のビームを監視するのを許すように構成できる。【選択図】  図２
2007526675.tif 000002
【特許請求の範囲】
【請求項１】
送信のリモート監視を行えるように多ビーム衛星を構成する方法であって、前記衛星が第１ビームにおける信号を、その信号を受信するユーザターミナルへ送信するような方法において、前記信号のコピーを、該コピーを監視するためのリモート監視ステーションを含むように選択された第２ビームにおいて送信するように、前記衛星を構成するステップを備えた方法。
【請求項２】
前記コピーは、前記信号より実質的に低い利得で送信される、請求項１に記載の方法。
【請求項３】
送信のリモート監視を行えるように多ビーム衛星を構成する方法であって、前記衛星が第１ビームにおいて信号を送信するような方法において、前記信号のコピーを、前記信号の送信より実質的に低い利得で第２ビームにおいて送信するように、前記衛星を構成するステップを備えた方法。
【請求項４】
前記信号及び前記コピーは実質的に同じ周波数で送信される、請求項３に記載の方法。
【請求項５】
前記信号は第１周波数で送信され、又、前記コピーは前記第１周波数とは異なる第２周波数で送信される、請求項１から３のいずれかに記載の方法。
【請求項６】
前記信号のコピー及び更に別の信号のコピーは、前記リモート監視ステーションにより監視のために予約されたチャンネルにおいて送信される、請求項５に記載の方法。
【請求項７】
前記信号のコピーは、前記第２ビームを含む複数の異なるビームにおいて送信される、請求項１から６のいずれかに記載の方法。
【請求項８】
前記複数のビームは、前記コピーを監視するためのリモート監視ステーションを含むように各々選択される請求項７に記載の方法。
【請求項９】
前記衛星は、前記第２ビームにおいて異なる前記信号のコピーを送信するように周期的に再構成される、請求項１から８のいずれかに記載の方法。
【請求項１０】
前記衛星は、地上ゲートウェイから衛星へと送信されるフィーダリンク信号を、前記信号及び前記信号のコピーへと変換するように構成できる中継衛星である、請求項１から９のいずれかに記載の方法。
【請求項１１】
前記信号は、前記ユーザターミナルにアドレスされるユーザデータを含む、請求項１から１０のいずれかに記載の方法。
【請求項１２】
前記構成ステップは、構成コマンドを前記衛星へ直接的又は間接的に送信することを含む、請求項１から１１のいずれかに記載の方法。
【請求項１３】
前記リモート監視ステーションが１つ以上のユーザチャンネルを監視するように前記信号内の１つ以上のユーザチャンネルの割り当てを識別するチャンネル割り当てデータを前記リモート監視ステーションへ直接的又は間接的に送信するステップを更に備えた、請求項１から１２のいずれかに記載の方法。
【請求項１４】
送信のリモート監視を行えるように多ビーム衛星を構成する方法であって、前記衛星が複数の各ビームにおいて複数の信号を送信するような方法において、前記複数の信号のうちの選択された１つの信号のコピーを、リモート監視ステーションにより監視するためのビームにおいて送信するように前記衛星を構成するステップであって、更に、前記複数の信号のうちの異なる信号を、そのコピーを前記ビームにおいて送信するために選択するよう、前記衛星を周期的に再構成するステップを備えた方法。
【請求項１５】
前記衛星は、前記複数の信号の各々が順次に監視されるように周期的に再構成される、請求項１４に記載の方法。
【請求項１６】
第１ビームにおける多ビーム衛星による信号の送信を監視する方法において、前記衛星の第２ビームにおいて前記信号のコピーを受け取るステップと、前記信号のコピーを監視するステップとを備えた方法。
【請求項１７】
前記信号のコピーは、前記信号とは異なる周波数において受信される、請求項１６に記載の方法。
【請求項１８】
前記信号のコピーは、監視のために予約されたチャンネルにおいて受信される、請求項１７に記載の方法。
【請求項１９】
前記信号のコピーは、前記信号と同じ周波数で受信され、又、前記第２ビームは、前記第１ビームに非隣接である、請求項１６に記載の方法。
【請求項２０】
前記コピーの利得は、前記信号より実質的に低い、請求項１６から１９のいずれかに記載の方法。
【請求項２１】
前記信号は、前記ユーザターミナルにアドレスされたユーザデータを含む、請求項１６から２０のいずれかに記載の方法。
【請求項２２】
前記信号内の１つ以上のユーザチャンネルの割り当てを識別するチャンネル割り当てデータを受信するステップと、前記１つ以上のユーザチャンネルを監視するステップとを更に備えた、請求項１６から２１のいずれかに記載の方法。
【請求項２３】
地球の大気の特性を監視する方法において、所定の信号の多数のコピーをその異なるビームにおいて送信するように多ビーム衛星を構成するステップと、前記コピーの各々をそれに対応する空間的に種々の監視ステーションで受信するステップと、前記受信したコピーから前記特性を導出するステップと、を備えた方法。
【請求項２４】
請求項１から２３のいずれかに記載の方法を遂行するように構成されたコンピュータプログラム。
【請求項２５】
請求項２４に記載のコンピュータプログラムを組み込んだコンピュータプログラム製品。
【請求項２６】
請求項１から２３のいずれかに記載の方法を遂行するように構成された装置。
【請求項２７】
実質的に添付図面を参照して説明した方法。
【発明の詳細な説明】
【発明の分野】
【０００１】
本発明は、衛星監視に係り、より詳細には、多ビーム衛星の送信性能を地上で監視するための方法、装置、システム、及びコンピュータプログラムに係るが、これらに限定されない。
【発明の背景】
【０００２】
衛星システムのオペレータは、それらの衛星の種々の送信特性、例えば、周波数チャンネルの中心周波数、搬送波対雑音比（Ｎ／Ｎｏ）、リンククオリティ、及び実効等方放射電力（ＥＩＲＰ）を監視する必要がある。これら特性の幾つか又は全部を受信側ユーザターミナルにより直接又は間接的に測定してシステムへ報告して戻し、例えば、電力制御、ドップラー修正、又は可変データレート技術の助けとすることができる。しかしながら、ユーザターミナルの利用性及び地理的な広がりは、衛星オペレータの制御範囲外であり、それ故、衛星の送信特性を包括的に監視するためにユーザターミナルに依存することはできない。
【０００３】
従って、永久的にアクティブな衛星監視ステーションを代表的な地理的位置に配置する必要がある。例えば、本出願人のＩｎｍａｒｓａｔ−３ＴＭ衛星に現在使用されている衛星監視システムについて、図１を参照して以下に説明する。
【０００４】
ＩｎｍａｒｓａｔＴＭ移動衛星通信システムは、複数の静止Ｉｎｍａｒｓａｔ−３ＴＭ衛星２を備えており、その１つが図１に示されている。この衛星２は、グローバルビーム６と、このグローバルビーム６内に入る５つのスポットビーム８ａ−ｅとを発生し、それらのビームパターンは、送信及び受信について実質的に同一限界である。スポットビーム８ａ−ｅは、主として、通信トラフィックに使用され、一方、グローバルビーム６は、主として、コール設定と、スポットビーム６のカバレージを外れたところの通信トラフィックに使用される。
【０００５】
各衛星２に対し、複数のランドアースステーション（ＬＥＳ）４ａ−ｂが衛星ベースステーションとして及び地上ネットワークへのゲートウェイとして働く。各ＬＥＳ４は、衛星２を経て両方向フィーダリンク１０にわたりＣ帯域で通信し、遠隔測定、追跡及び制御（ＴＴ＆Ｃ）ステーション（図示せず）の制御のもとで衛星２に構成された可変チャンネルマッピングに基づいて、フィーダリンク１０内の周波数チャンネルがそれに対応するビーム及びビーム内のＬ帯域チャンネルへとマップされる。
【０００６】
スポットビーム８を監視するために、リモート監視ステーション（ＲＭＳ）１２を各スポットビーム８に配置する必要がある。ＲＭＳ１２は、現在の周波数プランを受信し、当該スポットビーム８（１つ又は複数）内のＬ帯域チャンネルを監視し、そしてチャンネル測定値を記録し、そこから、衛星２の所要送信特性を導出することができる。各ＲＭＳは、できるだけほぼ連続的に動作状態に保持されねばならないと共に、測定結果が信頼できるものとなるように校正されねばならず、それ故、ＲＭＳ１２ａ、１２ｂをＬＥＳ４ａ、４ｂと一緒に置いて、既存のメンテナンス設備を使用できるようにするのが便利である。
【０００７】
更に、ＲＭＳ１２は、中央サーバーにより処理できるように監視データを送信しなければならない。このデータは、衛星ネットワークを経て送信されてもよいし、又はＩＳＤＮのようなワイヤラインネットワークを経て送信されてもよい。それ故、一緒に置かれたＲＭＳ１２ａ、１２ｂは、ＬＥＳ４ａ、４ｂにおける既存の通信ファシリティを使用してこのデータを送信できるという効果を有する。
【０００８】
ＬＥＳ４ｂが配置されたところに２つのスポットビーム８ｃ、８ｄが重畳する場合には、一緒に置かれたＲＭＳ１２ｂは、両スポットビーム８ｃ、８ｄを監視し、従って、必要とされるＲＭＳ１２の数を減少することができる。
【０００９】
ＬＥＳ４を含まないスポットビーム８については、可搬式の監視ステーション（ＴＭＳ）１２ｃ、１２ｄが設けられてもよい。ＴＭＳ１２ｃ、１２ｄは、適当なメンテナンス及び／又は地上通信ファシリティが利用できるところに配置されるのが便利である。しかしながら、一緒に置かれたＲＭＳ１２ａ、１２ｂよりもＴＭＳ１２ｃ、１２ｄに対して必要なメンテナンス及び通信ファシリティを設ける方が困難である。
【００１０】
前記システムは、少数のスポットビームで衛星を監視するものとしては受け容れられるが、スポットビームの数が非常に多数あるところに衛星用のシステムとして適応させる場合に問題が生じる。例えば、提案されたＩｎｍａｒｓａｔ−４ＴＭ衛星は、１９までの地域ビームと、２５６のスポットビームを発生するが、そのほとんどは、既存のＬＥＳ４をカバーしない。各地域ビーム及びスポットビームが少なくとも１つの監視ステーション１２を含むように確保するには、多様な地理的分布で非常に多数のＴＭＳ１２が必要となる。特に、あるスポットビームが海域又は山岳域しかカバーしないときには、このような多数のＴＭＳを維持することが非常に困難となる。
【００１１】
更に、Ｉｎｍａｒｓａｔ−４ＴＭ衛星は、再構成可能なビームパターンを有し、従って、あるビームパターン構成を監視するのに適当な監視ステーション１２の分布が、別のビームパターン構成を監視するのに適当でないことがある。
【００１２】
上述した問題は、ＩｎｍａｒｓａｔＴＭ衛星通信システムにとって独特のものではない。広帯域巾の衛星通信の需要が高まるにつれて、広帯域巾サービスに必要な利得及び周波数再使用を与えるために、必要なスポットビームの本数も増大する。問題は、静止衛星にとって独特のものではなく、移動ビームパターンを発生する非静止衛星にとってより重大なものとなる。又、問題は、中継衛星にとって独特なものではなく、衛星の監視に使用できる地上ゲートウェイを少数しかもたないスイッチング衛星でより重大なものとなる。
【００１３】
米国特許第５，７１０，９７１号の文書は、送信性能の監視ではなく、コール傍受のための衛星監視システムを開示している。
【発明の開示】
【００１４】
本発明の１つの態様によれば、多ビーム衛星は、あるスポットビームからのチャンネルの複写を、リモート監視ステーションを含む別のスポットビームにおいて送信するように制御される。監視ステーションをその監視されるスポットビームに配列するのではなく、その監視されるスポットビームが監視ステーションへ複写される。その監視されるスポットビームそれ自体、及びその中に含まれるトラフィックは、作用を受ける必要がない。このようにして、監視ステーションを各スポットビームにもたせる必要性を克服できる。
【００１５】
好ましくは、複写チャンネルは、その複写チャンネルの監視される特性がオリジナルチャンネルを表わすように、オリジナル信号と同じ変調内容、変調機構及び電力レベルを有する複写信号を含む。複写信号は、オリジナル信号から周波数がシフトされてもよい。これは、オリジナル信号と複写信号との間の干渉を回避できると共に、周波数再使用パターンにおける周波数の整合を容易にすることができる。複写チャンネルは、監視のために予約された周波数にあり、オリジナルチャンネルに対して使用されない。或いは又、複写信号は、オリジナルチャンネルと周波数が部分的に又は完全に重畳してもよい。この場合に、オリジナルチャンネルを含むスポットビームと、複写チャンネルを含むスポットビームとの間の空間的分離により干渉を回避することができる。
【００１６】
監視されるチャンネルは、周波数、時間、コード及び／又は他の多数のアクセス方法により分割されたユーザチャンネルの可変割り当てを含む周波数チャンネルでよい。監視ステーションは、周波数チャンネルに対するユーザチャンネルの割り当てを識別する周波数プランを受け取り、その周波数プランから特定のユーザチャンネルを識別し、そしてその特定のユーザチャンネルの送信特性を監視することができる。好ましくは、監視ステーションは、監視される信号のデータ内容をデコードせず、コール傍受の目的には使用されない。
【００１７】
好ましくは、複写されるべきチャンネルは、可変であり、リモート監視ステーションへ送信される複写チャンネルは、異なる時間に異なるチャンネルの複写となる。複写されるべきチャンネルは、干渉の制約を受けて、使用中のチャンネルのいずれかから自由に選択することができる。
【００１８】
中継又は非スイッチング衛星の場合には、オリジナル及び複写チャンネルは、フィーダリンクで受信された単一チャンネルから衛星により発生することができる。
【００１９】
本発明は、同じチャンネルが複数のユーザにより受信するために複数のビームにおいて送信されるマルチキャスティング技術とは相違し得る。マルチキャスティング技術では、複数のビームに対するチャンネルの割り当ては、再構成されず、且つマルチキャスト送信中に再構成できなくてもよい。更に、マルチキャストは、通常、１組の受信器にアドレスされ、これら受信器が置かれているビームでのみ送信される。
【００２０】
本発明によれば、送信が複写されるところのスポットビームは、送信の内容とは独立して、又は送信を設定したシグナリングとは独立して、選択されてもよい。むしろ、スポットビームは、送信を監視すべきリモート監視ステーションをカバーするように選択されてもよい。更に、本発明は、ユニキャスト送信として設定される送信に適用できるが、マルチキャスト送信にも適用することができる。
【００２１】
以下、添付図面を参照して、本発明の特定の実施形態を説明する。
【実施形態の説明】
【００２２】
［概略］
図２は、本発明の一実施形態による多ビーム衛星通信システムを概略的に示す。衛星２は、グローバルビーム６のカバレージエリア内に非常に多数のスポットビーム８を発生する。図２に示すように、スポットビーム８は、衛星２の視野内の陸地及び沿岸エリアのほとんどをカバーするほぼ六角形のビームパターンに配列される。各ビームは、明瞭化のために六角形の形状を有するものとして表わされるが、実際には、地表面へのビームの投射により歪まされたほぼ円形の形状を有する。少なくとも最低の分離距離を有するスポットビーム８の間で同じ周波数チャンネルを再使用するように周波数再使用パターンを適用することができる。
【００２３】
スポットビーム８は、ユーザターミナルにより受信するためのユーザトラフィック及びシグナリングを搬送し、図２には代表的なユーザターミナル５が示されているが、システムは、多数のこのようなターミナルに衛星通信サービスを提供することができる。
【００２４】
ＬＥＳ４は、衛星へのフィーダリンク１０を与え、このフィーダリンクは両方向性であるが、この実施形態では順方向について考えるだけでよい。フィーダリンク１０におけるＣ帯域の各周波数チャンネルは、衛星２により、衛星２に搭載のチャンネルフィルタ構成により決定される対応スポットビーム８へとマップされる。フィーダリンク１０における異なる周波数チャンネルは、最小分離距離で分離されたスポットビームの中の異なるビームにおける同じ周波数へとマップできることに注意されたい。
【００２５】
この実施例では、５つの代表的なスポットビーム８ｉ−８ｍについて考えるが、この実施例を全てのスポットビーム８に対して外挿することができる。これらのスポットビーム８ｉ−８ｍはどれもＲＭＳ１２をカバーせず、それらの全てを監視する必要がある。
【００２６】
この実施形態では、スポットビーム８ｉ−８ｍの１つにおける送信を、ＲＭＳ１２により監視される別のスポットビーム８ｎへと複写するようにチャンネルフィルタを構成することにより、監視が達成される。チャンネルフィルタは、スポットビーム８ｉ−８ｍの各々を複写送信のために順次に選択するように周期的に再構成される。ＲＭＳ１２は、複写送信を監視して、そのとき複写されている対応する送信に対する衛星送信特性を導出する。ＲＭＳ１２、又は監視データを収集するファシリティは、監視されるスポットビーム８ｉ−８ｍと、複写送信を含むスポットビーム８ｎとの間のビーム幾何学形状の差を補償することができる。
【００２７】
［複写衛星チャンネル割り当て］
この実施形態では、スポットビーム８ｉ−８ｍの各々に対する複写送信は、ユーザターミナルによる受信に意図された通常の送信との干渉を回避するために、複写送信に対して予約された同じ周波数チャンネルへ送信される。この構成が図３にグラフで示されており、スポットビーム８ｉ−８ｍに対応する周波数チャンネルＦ１−Ｆ５の送信は、次々の時間周期ｔ１−ｔ５にスポットビーム８ｍにおける予約された周波数チャンネルＦ０へと複写される。
【００２８】
別の実施形態では、予約された周波数チャンネルＦ０がなく、複写周波数チャンネルは、干渉制約を受けて、使用可能なチャンネルのいずれかから選択される。この別の形態は、周波数チャンネルＦ０をユーザトラフィックに対して使用でき、従って、システムの周波数使用効率を高めるという効果を有する。しかしながら、これは、周波数再使用パターンに制約を課する。というのは、２つの周波数チャンネルが、ＲＭＳ１２を含むスポットビーム８ｎに同時に指定され、どの周波数チャンネルも最小の再使用距離内で再使用できないからである。この制約の影響は、スポットビーム８ｎがスポットビームパターンの縁にある場合には、少なくとも一部分克服することができる。
【００２９】
複写送信は、オリジナル送信よりも著しく低い利得で送信されてもよい。というのは、ＲＭＳ１２は、オリジナル送信が発生されるユーザステーション（１つ又は複数）より著しく高いアンテナ利得を有するからである。例えば、利得は、少なくとも３ｄＢ低くてもよく、６ｄＢ低いのが好ましい。低い利得は、複写送信により生じる干渉を減少させる。利得は、周波数再使用パターンに制約を課すことがないように充分低くてよい。
【００３０】
選択された送信は、複数の異なるスポットビームへと同時に複写されて、対応する複数の異なるＲＭＳ１２により監視することができる。或いは又、監視される信号を監視ファシリティにおいて比較して、異なる複写送信が進行した異なる経路に起因する大気の影響を打ち消すことができる。このように、衛星により送信されたオリジナル信号の送信特性をより正確に決定することができる。
【００３１】
別の実施形態では、既知のテスト信号を衛星へ送信し、チャンネルフィルタは、異なるＲＭＳにより監視するために少なくとも２つの異なるスポットビームに同じテスト信号を送信するように構成できる。受信したテスト信号を監視ファシリティにおいて比較して、テスト信号が異なるＲＭＳへ進行した異なる経路に沿って大気の特性を測定することができる。このように決定される大気の特性は、周波数に依存する電離層遅延を含み得る。異なる周波数の成分を含むテスト信号を使用して、各経路に沿った電離層遅延を決定することができる。
【００３２】
更に別の実施形態では、ＲＭＳ１２は、ＬＥＳ４と一緒に置かれてもよい。ＬＥＳ４とＲＭＳ１２との間で周波数プランを局部的に共有するのが効果的である。この別の形態は、フィーダリンク１０がＣ帯域である一方、スポットビーム送信がＬ帯域であるので、付加的な干渉の問題を課することがない。
【００３３】
［チャンネルフィルタ構成］
チャンネルフィルタ構成は、衛星２内のトランスポンダペイロードの図である図４を参照して説明する。Ｃ帯域アンテナ１４は、ＬＥＳ４からフィーダリンクチャンネル送信を受け取り、これは、低ノイズ増幅器（ＬＮＡ）１６により増幅され、そしてアナログ／デジタル（Ａ／Ｄ）コンバータ１８によりデジタル変換される。デジタルビーム成形及びチャンネル化装置２０は、フィーダリンクのチャンネルと、スポットビーム８の周波数チャンネルとの間のマッピングを実行して、１組のアナログ変換信号を出力し、これら信号は、一列の高電力増幅器（ＨＰＡ）２２により増幅され、次いで、Ｌ帯域アンテナにおける対応する１組のアンテナ素子へ送り込まれる。これらアンテナ素子により放射された信号の和がスポットビームパターンを発生する。
【００３４】
チャンネルフィルタ構成は、遠隔測定、追跡及び制御（ＴＴ＆Ｃ）ステーションからＴＴ＆Ｃアンテナ２６により受信され、ＴＴ＆Ｃインターフェイス２８により復調及びデコードされ、そしてデジタルビーム成形及びチャンネル化装置２０へ入力として送り込まれるコマンドにより制御される。
【００３５】
各周波数チャンネルは、周波数及び時間を細分化して、異なる変調機構をもつ個々のユーザチャンネルを定義することができる。各周波数チャンネルのフォーマットは、送信信号の２００ｋＨｚチャンネル化を与える衛星ペイロードに対して透過的であるが、ＲＭＳ１２は、個々のユーザチャンネルを区別して、ユーザチャンネルの種々の特性、例えば、中心周波数及びＣ／Ｎｏ比を識別することができねばならない。
【００３６】
［ネットワークアーキテクチャー］
図５は、各ＬＥＳ４ａ及び４ｂと同じ場所にあるのが好ましい代表的なＲＭＳ１２ａ及び１２ｂを含むリモート監視システムネットワークアーキテクチャーの簡単な態様を示す。各ＲＭＳ１２は、スペクトル分析器３０を備え、これは、校正装置３２により校正されると共に、ＲＭＳコントローラ３４により必要な監視機能を遂行するように制御される。
【００３７】
グローバルリソースマネージャー（ＧＲＭ）３８は、衛星フィルタ構成のマップを記憶しており、ペイロード制御システム３６を経て衛星フィルタ構成を変更するように衛星２を制御し、ペイロード制御システム３６は、それらの変更を、ＲＭＳ１２ａ又は別のＴＴ＆Ｃステーションを経て衛星２へ通信する。ＧＲＭ３８は、マップを各ＲＭＳ１２にコピーすると共に、複写チャンネルが割り当てられるか又は割り当て解除されたときにＲＭＳ１２に通知する。
【００３８】
監視方法の一実施例では、ＲＭＳ１２の１つが、監視されるべきチャンネルに対して複写フィルタを設定するようにＧＲＭ３８に要求する。ＰＣＳ３６は、複写チャンネルを設定し、そしてチャンネルが設定されたことをＧＲＭ３８に確認する。ＧＲＭ３８は、ＲＭＳ１２に確認を通信し、ＲＭＳ１２は、次いで、測定を実行し、その結果を記憶し、そして次の複写チャンネルを設定するようにＧＲＭ３８に要求する。従って、異なるチャンネルの測定のタイミング及び順序は、融通性があり、固定のシーケンスではなく要求に応じてＲＭＳ１２により設定することができる。
【００３９】
各ＲＭＳ１２は、ワイドエリアネットワーク（ＷＡＮ）４０を経て監視サーバー４２に接続され、該サーバーは、複写チャンネルを要求して測定するようにＲＭＳ１２に命令すると共に、それにより得られる監視データをそれらから受け取る。又、監視サーバー４０は、現在周波数プラン４４にアクセスし、意図されたチャンネルフォーマットに関する情報を当該ＲＭＳ１２へ分配する。
【００４０】
［第２の実施形態］
第２の実施形態では、衛星２は、比較的少数のスポットビームを有するＩｎｍａｒｓａｔ−３ＴＭ衛星である。この実施形態の目的は、搬送可能な監視ステーション（ＴＭＳ）１２ｃ、１２ｄの必要性を低減又は排除することである。この実施形態に関連した問題は、各ビームのサイズが大きく且つ周波数再使用に対して定義された異なるチャンネルセットの数が小さいために、複写チャンネルセットと通常のチャンネルセットとの間の干渉の回避がより困難なことである。複写ビームは、同じ周波数スペクトルを使用する通常のビームから充分空間的に分離されねばならない。
【００４１】
［チャンネルフィルタ構成］
Ｉｎｍａｒｓａｔ−３ＴＭ衛星は、一次フィルタが欠陥となった場合にバックアップとして送信経路へとスイッチできる冗長なフィルタを備えている。しかしながら、この冗長なフィルタは、一次フィルタと並列に使用されてもよい。又、この冗長なフィルタは、一次フィルタとは異なる局部発振器により駆動され、これは、異なる周波数で複写チャンネルを送信するために異なる周波数で駆動することができる。この実施形態では、冗長なフィルタは、監視されるべきチャンネルセットを、ＲＭＳ１２の１つが配置されたスポットビームへ複写するのに使用される。第１の実施形態と同様に、複写チャンネルの利得は、オリジナルチャンネルより著しく低くてもよい。図６は、Ｉｎｍａｒｓａｔ−３ＴＭインド洋領域（ＩＯＲ）衛星のスポットビームカバレージの一例を示し、一方、図７は、一次フィルタＰＦ及び冗長なフィルタＲＦのスペクトル割り当てを示す。特定の周波数チャンネルを、充分な空間分離で二回使用することができ、各フィルタの周波数割り当ては、上位及び下位帯域ＲＦａ、ＲＦｂ、ＰＦａ、ＰＦｂで明瞭に示されている。しかしながら、各帯域は、同じ周波数スペクトルに対応することが明らかである。
【００４２】
参照番号８ａ−８ｅは、各々、南西、北西、北中央、北東及び南東のビームを指示し、図７では、各ビームに割り当てられた周波数スペクトルの一部分を指示するのに使用される。
【００４３】
この実施例では、南西ビーム８ａ（図６において陰影付けされた）を監視することが望まれる。北東ビーム８ｄ又は南東ビーム８ｅのいずれかが必要なビーム分離要件（＞１５ｄＢ）を有する。北中央のビーム８ｃは、図７から明らかなように、スペクトル整合の理由で、使用できない。ＲＭＳ１２は、北東ビーム８ｄ及び南東ビーム８ｅ（図７において太い輪郭で示す）に配置され、それ故、そのいずれかを使用して、南西ビーム８ａのチャンネルセットを複写することができる。
【００４４】
第２の実施例では、大西洋領域東（ＡＯＲ−Ｅ）Ｉｎｍａｒｓａｔ−３ＴＭ衛星の北中央ビーム８ｃを監視することが望まれ、そのビームカバレージパターンが図８に示され、希望のビーム８ｃが陰影付けされ、そして一次及び冗長なフィルタの割り当て機構が図９に示されている。南西ビーム８ａ又は南東ビーム８ｅは、各々、充分なビーム分離を有する。南東ビーム８ｅも北東ビーム８ｄも使用できない。というのは、図９に示すように、スペクトル整合の制約があるからである。従って、北中央のビームチャンネルの複写を搬送するのに使用できるのは、南西ビーム８ａだけである。
【００４５】
分離及びスペクトル整合制約の結果として、各衛星２に対して少なくとも２つのＲＭＳ１２が使用できるのが好ましく、又、それらは、既存のファシリティの再使用を許すためにＬＥＳ４と一緒に置かれるのが好ましい。
【００４６】
［ネットワークアーキテクチャー］
図１０は、この実施形態におけるリモート監視システムのネットワーク構成を示す。第１の実施形態と同様の要素は、図５と同じ参照番号で示される。第１の実施形態の構成に比して、ＧＲＭ３８もＰＣＳ３６もない。むしろ、各ＲＭＳ１２は、衛星ネットワークにおけるチャンネル割り当てシグナリングを監視して、監視されるべきスペクトル内のチャンネル割り当てを決定する。冗長なフィルタは、ＲＭＳ１２又はＬＥＳ４と一緒に置くことのできるＴＴ＆Ｃステーションからの送信により構成される。
【００４７】
特許請求の範囲により規定された本発明の範囲内に包含される別の実施形態も考えられる。上述したように、本発明により対処される問題は、ＩｎｍａｒｓａｔＴＭ衛星、静止衛星、又は中継衛星に限定されない。
【図面の簡単な説明】
【００４８】
【図１】既知の衛星監視システムの概略図である。
【図２】本発明の一実施形態による衛星監視システムを組み込んだ衛星通信システムの概略図である。
【図３】異なるビーム送信の周期的複写を説明するために周波数の割り当てを時間に対して示すチャートである。
【図４】この実施形態に使用するための衛星ペイロードの概略図である。
【図５】この実施形態の衛星監視システムを組み込んだネットワークアーキテクチャーを示す概略図である。
【図６】本発明の第２実施形態の第１実施例における衛星用のスポットビームを示す図である。
【図７】第１実施例においてビームに対する周波数帯域の割り当てを示す図である。
【図８】第２実施形態の第２実施例における衛星用のスポットビームを示す図である。
【図９】第２実施例においてビームに対する周波数帯域の割り当てを示す図である。
【図１０】第２実施形態の衛星監視システムを組み込んだネットワークアーキテクチャーの概略図である。
【符号の説明】
【００４９】
２・・・衛星、４・・・ランドアースステーション（ＬＥＳ）、５・・・ユーザターミナル、６・・・グローバルビーム、８・・・スポットビーム、１０・・・フィーダリンク、１２・・・リモート監視ステーション（ＲＭＳ）、１４・・・Ｃ帯域アンテナ、１６・・・低ノイズ増幅器、１８・・・Ａ／Ｄコンバータ、２０・・・デジタルビーム成形及びチャンネル化装置、２２・・・高電力増幅器、２６・・・ＴＴ＆Ｃアンテナ、２８・・・ＴＴ＆Ｃインターフェイス、３０・・・スペクトル分析器、３４・・・ＲＭＳコントローラ、３６・・・ペイロード制御システム（ＰＣＳ）、３８・・・グローバルリソースマネージャー（ＧＲＭ）、４０・・・ワイドエリアネットワーク（ＷＡＮ）、４２・・・監視サーバー
【図１】
2007526675.tif 000003
【図２】
2007526675.tif 000004
【図３】
2007526675.tif 000005
【図４】
2007526675.tif 000006
【図５】
2007526675.tif 000007
【図６】
2007526675.tif 000008
【図７】
2007526675.tif 000009
【図８】
2007526675.tif 000010
【図９】
2007526675.tif 000011
【図１０】
2007526675.tif 000012